(57)【特許請求の範囲】
【請求項１】
複数配置される計器の駆動装置であって、
前記計器として、周囲の明るさを検出する光センサを備え前記光センサの検出結果に応じて自己の表示輝度を調整する調光データを得る自動調光機能を有する第一の計器と、前記光センサを有しない第二の計器と、を有し、
前記第一の計器で得られた前記調光データを前記第二の計器に送信する制御ユニットを有し、
前記第二の計器は、前記制御ユニットから受信した前記調光データに基づいて前記第一の計器が自己の表示輝度を調整するタイミングと同期して自己の表示輝度を調整することを特徴とする計器の駆動装置。
【請求項２】
複数配置される計器の駆動装置であって、
前記計器として、周囲の明るさを検出する光センサを備え前記光センサの検出結果に応じて自己の表示輝度を調整する調光データを得る自動調光機能を有する第一の計器と、前記光センサを有しない第二の計器と、を有し、
前記第一，第二の計器とは別体に設けられ、車両情報を示す複数の状態信号を入力し、この各状態信号に基づいて前記車両情報の各計測データを求め、前記第一の計器から前記調光データを受信し、前記各計測データと前記調光データとをシリアルデータに変換して、前記シリアルデータを前記第一，第二の計器に送信する制御ユニットを有し、
前記第一，第二の計器は、前記シリアルデータを受信し前記シリアルデータに応じて表示部を制御し、また、互いに同期して自己の表示輝度を調整することを特徴とする計器の駆動装置。
【請求項３】
前記第一，第二の計器は、前記調光データに対する所定の補正値を設定する設定手段を備えてなることを特徴とする請求項１または請求項２に記載の計器の駆動装置。
【発明の詳細な説明】
【技術分野】
【０００１】
本発明は、車両用のコンビネーションメータとは別に設けられる回転計，吸気圧計及び排気温度計等の複数の計器の駆動装置に関するものである。
【背景技術】
【０００２】
従来の計器としては、速度計，回転計（タコメータ），温度計や燃料計がケース体に収納された既存のコンビネーションメータとは別に、ダッシュボードやインストルメントパネル（インパネ）等に取り付けられるアフターメータと称される計器が知られている。このアフターメータとしては、例えば、単一のアナログ式表示部をケース内に収納し、車両の単一の車両情報（例えば、エンジン回転数）を表示する計器や発光ディスプレイを有し、前記車両情報をデジタル表示する計器がある。このような計器は、サーキットレース場等を走行する競技車両等や、スーパーチャージャあるいはターボ付き車両等に搭載されることが多い。かかる計器の種類としては、エンジンの回転数を監視する回転計，エンジンの過給圧を監視する吸気圧計（ブースト計），排気ガスの排気温度を監視する排気温度計，エンジンオイルの温度を監視する油温計あるいはエンジンオイルの圧力を監視する油圧計等がある。
【０００３】
また、本願出願人は、複数配置されることが想定されるアフターメータの駆動装置として、特許文献１に開示される計器の駆動装置を提案している。特許文献１にて提案される計器の駆動装置は、車両情報に応じた複数の状態信号を入力可能とする入力ポートを備え、複数の前記状態信号に応じた各計測データを求める単一のコントロールユニットを設け、このコントロールユニットと前記各計器との間を前記コントロールユニットにより生成されるシリアルデータによって通信してなるもので、計器を複数配設する場合であっても取付作業を簡素化し、かつダッシュボードやインパネ回りの美観を損ねることなく、前記各計器を取り付けることが可能となるものである。
【特許文献１】特開平１０−１８３５２３号公報
【発明の開示】
【発明が解決しようとする課題】
【０００４】
しかしながら、従来のアフターメータ及びその駆動装置においては、複数の前記計器をダッシュボードあるいはインパネ上に配設する場合であっても、個々の前記計器の表示輝度はそれぞれ手動あるいは自動的に調整されるものであった。そのため、手動により前記計器の表示輝度を調整する場合には作業が繁雑となり、また、個々の計器を自動的に調光する場合は複数の光センサを設けることで製造コストが上昇するとともに各光センサによって検出される明るさの変化が異なるため表示輝度を調整するタイミングが個々の計器で異なりアフターメータシステム全体としての見栄えが悪くなることがあるという問題点があった。
【０００５】
本発明は、前述の問題点に鑑み、複数の計器が配置されることが想定されるアフターメータの駆動装置を更に改善し、複数の計器の表示輝度を同期して調整することができ、アフターメータシステム全体としての見栄えを向上させることが可能な計器の駆動装置を提供することを目的とする。
【課題を解決するための手段】
【０００６】
本発明は、前記課題を解決するため、複数配置される計器の駆動装置であって、前記計器として、周囲の明るさを検出する光センサを備え前記光センサの検出結果に応じて自己の表示輝度を調整する調光データを得る自動調光機能を有する第一の計器と、前記光センサを有しない第二の計器と、を有し、前記第一の計器で得られた前記調光データを前記第二の計器に送信する制御ユニットを有し、前記第二の計器は、前記制御ユニットから受信した前記調光データに基づいて前記第一の計器が自己の表示輝度を調整するタイミングと同期して自己の表示輝度を調整することを特徴とする。
【０００７】
また、複数配置される計器の駆動装置であって、前記計器として、周囲の明るさを検出する光センサを備え前記光センサの検出結果に応じて自己の表示輝度を調整する調光データを得る自動調光機能を有する第一の計器と、前記光センサを有しない第二の計器と、を有し、前記第一，第二の計器とは別体に設けられ、車両情報を示す複数の状態信号を入力し、この各状態信号に基づいて前記車両情報の各計測データを求め、前記第一の計器から前記調光データを受信し、前記各計測データと前記調光データとをシリアルデータに変換して、前記シリアルデータを前記第一，第二の計器に送信する制御ユニットを有し、前記第一，第二の計器は、前記シリアルデータを受信し前記シリアルデータに応じて表示部を制御し、また、互いに同期して自己の表示輝度を調整することを特徴とする。
【０００８】
また、前記第一，第二の計器は、前記調光データに対する所定の補正値を設定する設定手段を備えてなることを特徴とする。
【発明の効果】
【０００９】
本発明は、車両用のコンビネーションメータとは別に設けられる回転計，吸気圧計及び排気温度計等の複数の計器の駆動装置に関するものであり、複数の計器の表示輝度を同期して調整することができ、アフターメータシステム全体としての見栄えを向上させることが可能となる。
【発明を実施するための最良の形態】
【００１０】
以下、本発明の実施形態を添付図面に基づいて説明する。図１及び図２を用いて計器の駆動装置の全体構成を説明する。計器の駆動装置は、図１に示すように、コントロールユニット（制御ユニット）１と、デジタルメータ（第一の計器）２と、アナログメータ（第二の計器）３と、から主に構成されている。
【００１１】
コントロールユニット１は、マイクロコンピュータからなり、車両情報を示す各状態信号を入力するＡ／Ｄ変換部と、所定の処理動作プログラムを実行するＣＰＵと、前記処理動作プログラム等が記憶されたＲＯＭと、前記ＣＰＵにより処理されたデータ等を一時的に記憶するＲＡＭと、パラレルデータをシリアルデータに変換するパラレル・シリアル変換部（Ｐ／Ｓ変換部）と、各種の設定を不揮発的に記憶するＥＥＰＲＯＭやバックアップＲＡＭ等からなる記憶部と、前記シリアルデータを所定の周期により送信する送信部と、デジタルメータ２からの後述する調光データを受信する受信部と、から構成されている。コントロールユニット１は、前記車両情報を示す前記各状態信号を入力すると、前記各状態信号に応じて所定の演算処理を行い、前記車両情報の各計測データを算出する。また、コントロールユニット１は、通常動作モードにおいては、計器の機種を識別するための機種コード，前記各計測データ及び前記調光データであるパラレルデータをシリアルデータに変換し、配線部材４を介してデジタル計器２及びアナログ計器３の後述する制御手段に送信する。デジタルメータ２とアナログメータ３とは、コントロールユニット１からのシリアルデータを転送する多重伝送通信線を含む配線部材を介して接続されている。本実施形態においてコントロールユニット１からの前記シリアルデータは、前記配線部材を介してアナログメータ３→デジタルメータ２の順に伝達される。
【００１２】
デジタルメータ２は、図２に示すように、制御手段２ａと、有機ＥＬパネルや液晶パネルからなる発光ディスプレイ（表示部）２ｂと、設定手段２ｃと、光センサ２ｄと、をケース体内に収納してなるデジタル式の計器である。
【００１３】
制御手段２ａは、マイクロコンピュータからなり、コントロールユニット１によって送信される前記シリアルデータを受信し前記シリアルデータに基づいて発光ディスプレイ２ｂを制御するものである。また、制御手段２ａは、光センサ２ｄから検出信号を入力して周囲の明るさを示す明るさデータを求め、前記明るさデータに基づいて発光ディスプレイ２ｂの表示輝度を調整するための調光データの出力値を決定することで、周囲の明るさに応じて自動的に発光ディスプレイ２ｂの表示輝度を調整する自動調光機能を有する。また、制御手段２ａは、コントロールユニット１に前記調光データを送信する送信部を有する。
【００１４】
設定手段２ｃは、例えばディップスイッチやロータリスイッチからなり、所定操作に応じて制御手段２ａに所定の設定信号を出力して、前記調光データに対する所定の補正値を設定するためのものである。利用者は、設定手段２ａを操作することによって複数の補正値を任意に設定することができる。これは、計器の設定位置によって外光の影響などにより周囲が比較的明るい場所と暗い場所とがあるため、設置位置に応じて表示輝度の調光特性を変更可能とするためのものである。なお、補正値の設定としては、前記調光データに対するオフセット値を設定する方法や、所定の演算によって周囲が暗い場合の表示輝度を変更する方法等がある。
【００１５】
アナログメータ３は、図２に示すように、制御手段３ａと、アナログ式の表示部３ｂと、設定手段３ｃと、をケース体内に収納してなるアナログ式の計器である。
【００１６】
制御手段３ａは、マイクロコンピュータからなり、コントロールユニット１によって送信される前記シリアルデータを受信し前記シリアルデータに基づいて表示部３ｂを制御するものである。また、制御手段３ａは、デジタルメータ２の制御手段２ａからコントロールユニット１に送信された前記調光データを前記シリアルデータより得て、前記調光データに基づいて表示部３ｂに備えられる照明手段を制御し、表示部３ｂの表示輝度を調整する。
【００１７】
設定手段２ｃは、例えばディップスイッチやロータリスイッチからなり、所定操作に応じて制御手段２ａに所定の設定信号を出力して、前記調光データに対する所定の補正値を設定するためのものである。
【００１８】
以上の各部によって計器の駆動装置が構成されている。
【００１９】
本実施形態である計器の駆動装置は、光センサ２ｄを有するデジタルメータ２で得られた前記調光データをコントロールユニット１を介して他の光センサを有しないアナログメータ３に送信し、表示部３ｂの表示輝度をも調整するものである。したがって、複数のメータ２，３が同一の前記調光データに基づいて表示輝度を調整することで表示輝度の調整タイミングを同期させることができ、アフターメータシステム全体としての見栄えを向上させることが可能となる。また、複数の光センサを必要としないため、製造コストの上昇を抑制することができる。
【００２０】
また、デジタルメータ２及びアナログメータ３にそれぞれ前記調光データに対するオフセット値を設定する設定手段２ｃ，３ｃを設けることによって、メータ２，３の設置位置による周囲の明るさに応じた調光特性を設定することができ、調整タイミングを同期させながら個々の周囲環境に応じた調整を実施することができる。
【００２１】
なお、本実施形態においては、デジタルメータ２が光センサ２ｄを有するものであったが、アナログ式メータが光センサを有してもよく、また、光センサを有する第一の計器が複数あってもよい。光センサを有する第一の計器が複数ある場合は、そのうちの１つの計器によって得られた調光データを制御ユニットを介して他の計器（第二の計器）に送信し、各計器の表示輝度の調整を行う。
【００２２】
また、本実施形態においては、各メータ２，３とは別体に設けられるコントロールユニット１を光センサを有しないアナログメータ３に前記調光データを送信する制御ユニットとするものであったが、本発明においては、光センサを有する第一の計器に内蔵される制御手段を制御ユニットとし、直接他の計器（第二の計器）に調光データを送信する構成であってもよい。
【図面の簡単な説明】
【００２３】
【図１】本発明の実施形態の計器の駆動装置の構成を示すブロック図。
【図２】同上計器の駆動装置における計器の構成を示すブロック図。
【符号の説明】
【００２４】
１  コントロールユニット（制御ユニット）
２  デジタルメータ（第一の計器）
２ａ  制御手段
２ｂ  発光ディスプレイ（表示部）
２ｃ  設定手段
２ｄ  光センサ
３  アナログメータ
３ａ  制御手段
３ｂ  表示部
３ｃ  設定手段
【図１】
0005176449.tif 000002
【図２】
0005176449.tif 000003